(57)【要約】【課題】特定の色や出現頻度の高い色に対して強く色信号のノイズを除去、抑制する適応型クロマノイズリダクション回路を提供する。【解決手段】特定の色信号Ｓ１と他の色信号Ｓ２に対する割合（Ｃｒ／Ｃｂ）を計算して、その値をしきい値Ｓ４、Ｓ５と比較して、その結果によりノイズリダクションの強さを決める係数１７〜２０を切り替え、前記割合が所定の範囲Ｓ４〜Ｓ５内にある場合にのみ色信号Ｓ１、Ｓ２に強いノイズリダクションをかける。信号波形のエッジを傷つけることなく目立つノイズを除去する。【選択図】図１
2005268961.tif 000002
【特許請求の範囲】
【請求項１】
色信号から当該色信号に応じてノイズを除去する適応型ノイズリダクション回路において、
色信号に基づいて色位相を算出し、色信号に対し特定の色のところだけに強いノイズリダクションをかけることを特徴とする適応型ノイズリダクション回路。
【請求項２】
色信号から当該色信号に応じてノイズを除去する適応型ノイズリダクション回路において、
一方の色信号と他方の色信号との割合が所定の範囲にあるときに、前記色信号に対し強いノイズリダクションをかけることを特徴とする適応型ノイズリダクション回路。
【請求項３】
色信号から当該色信号に応じてノイズを除去する適応型ノイズリダクション回路において、
一方の色信号と他方の色信号との比を求める除算器と、前記除算器の出力と所定のしきい値とを比較する比較手段と、前記比較手段の出力により、前記色信号に対するノイズリダクションの強さを制御可能なノイズリダクション回路と、からなることを特徴とする適応型ノイズリダクション回路。
【請求項４】
色信号から当該色信号に応じてノイズを除去する適応型ノイズリダクション回路において、
一方の色信号と他方の色信号との比を求める除算器と、前記除算器３０の出力の各画素の比を算出し、１画面の各画素の比毎の出現頻度を求めるヒストグラム演算回路と、前記ヒストグラム演算回路の出力から所定出現頻度の前記比を求める所定比演算回路と、前記除算器の出力と前記所定比演算回路の出力に基づくしきい値とを比較する比較手段と、前記比較手段の出力により、前記色信号に対するノイズリダクションの強さを制御可能なノイズリダクション回路と、からなることを特徴とする適応型ノイズリダクション回路。
【請求項５】
前記所定比演算回路は、最大頻度の比を求めることを特徴とする請求項４記載の適応型ノイズリダクション回路。
【請求項６】
前記比較手段のしきい値には、比較の基準として下限と上限のしきい値が設定されることを特徴とする請求項３、４又は５記載の適応型ノイズリダクション回路。
【請求項７】
前記比較手段は、設定されるしきい値によりウインドウ型の比較特性を有することを特徴とする請求項６記載の適応型ノイズリダクション回路。
【請求項８】
前記ノイズリダクション回路は、色信号からノイズ成分を抽出するノイズ抽出フィルタと、抽出したノイズ成分のレベルを制御するレベル制御手段と、前記色信号から前記レベル制御手段の出力を減算する減算器と、前記比較手段の出力により前記レベル制御手段を制御するノイズリダクション制御手段と、を有することを特徴とする請求項３、４、５、６又は７記載の適応型ノイズリダクション回路。
【請求項９】
前記レベル制御手段は、ノイズ抽出フィルタの出力の振幅を制限するリミット回路と、リミット回路の出力に所定の係数を掛算する乗算器とからなり、前記ノイズリダクション制御手段は前記乗算器の乗算係数を制御することを特徴とする請求項８記載の適応型ノイズリダクション回路。
【請求項１０】
前記比較手段は、異なるしきい値が設定された複数の比較回路でなり、前記複数の比較回路の出力の演算結果により前記ノイズリダクション制御手段を制御することを特徴とする請求項８又は９記載の適応型ノイズリダクション回路。
【発明の詳細な説明】
【技術分野】
【０００１】
本発明は、適応型クロマノイズリダクション回路に関し、特に、画像の色成分のノイズを目立たなくする適応型クロマノイズリダクション回路に関する。
【従来技術】
【０００２】
カラー画像においては、画像信号を輝度成分の輝度信号Ｙと色成分の２つの色差信号（Ｃｂ（Ｂｌｕｅ色差）、Ｃｒ（Ｒｅｄ色差）：以下、それぞれ「色信号」という）に分けて画像処理が行われており、また、各色信号Ｃｂ、Ｃｒは３原色（Ｒ、Ｇ、Ｂ）の信号の所定の演算式（ＩＴＵ−Ｒ ＢＴ．６０１の規定等）により算出される。
【０００３】
従来、カメラ信号処理システム等では色信号からノイズを除去するクロマノイズノイズリダクションとして各色成分に対してそれぞれ独立に動作するように動作するノイズリダクション回路が使用されている。
【０００４】
図６は従来のクロマノイズリダクション回路の一構成例を示すブロック図である。各色信号Ｃｂ、Ｃｒに対する２系統の独立したノイズリダクション回路からなり、該回路は信号が入力する入力端子１、２、所定の係数値の信号が入力する入力端子１７、１９、出力端子１３、１４、ノイズ抽出フィルタ５、６、リミット回路７、８、乗算回路９、１０、減算器１１、１２を有する。
【０００５】
入力端子１はノイズ抽出フィルタ５の入力と減算器１１の非減数入力に接続され、入力端子２はノイズ抽出フィルタ６の入力と減算器１２の非減数入力に接続され、ノイズ抽出フィルタ５の出力はリミット回路７の入力に接続され、リミット回路７の出力は乗算器９の一方の入力に接続され、乗算器９の出力は減算器１１の減数入力に接続され、減算器１１の出力は出力端子１３に接続され、ノイズ抽出フィルタ６の出力はリミット回路８の入力に接続され、リミット回路８の出力は乗算器１０の一方の入力に接続され、乗算器１０の出力は減算器１２の減数入力に接続され、減算器１２の出力は出力端子１４に接続され、入力端子１７、１９はそれぞれ乗算器９、１０の他方の入力に接続されている。
【０００６】
図７は、図６示す従来のクロマノイズリダクション回路の動作を示すタイミング図である。  
入力端子１から信号Ｓ１（色信号Ｃｂ）が入力する。ノイズ抽出フィルタ５はハイパスフィルタ特性により入力したＣｂ信号成分Ｓ１に含まれる高域の周波数帯域の成分であるノイズ成分を抽出してノイズ信号Ｓ９として出力する。ノイズ信号Ｓ９はリミット回路７に入力し、リミット回路７により、ノイズ信号Ｓ９のノイズ成分及び信号の変化成分（エッジ成分）が正負のリミットレベルＳ２０、−Ｓ２０の範囲内の信号のみが出力（振幅が制限）され、信号Ｓ１１として出力する。信号Ｓ１１は乗算器９において入力端子１７から入力する係数が乗算され、ノイズ成分である信号Ｓ２２を出力する。そして減算器１１はＣｂ信号成分Ｓ１からそのノイズ成分の信号Ｓ２２を減算することにより前記係数に応じてノイズ成分を除去ないし抑制（リダクション）した信号Ｓ２４として出力端子１３に出力する。
【０００７】
入力端子２から入力する信号Ｓ２（色信号Ｃｒ）Ｓ２についても同様である。ノイズ抽出フィルタ６はＣｒ信号成分Ｓ２から該信号に含まれるノイズ成分を抽出してノイズ信号Ｓ１０を出力する。リミット回路８は信号Ｓ１０の内、リミットレベルＳ２１、−Ｓ２１の範囲の信号である振幅制限した信号Ｓ１２を出力する。乗算器１０は信号Ｓ１２に入力端子１９から入力する係数を乗算し信号Ｓ２３を出力し、減算器１２は入力信号Ｓ２から信号Ｓ２３を減算し信号Ｓ２５を出力端子１４に出力する。
【発明の開示】
【発明が解決しようとする課題】
【０００８】
従来のクロマノイズリダクション回路においては、入力信号Ｓ１、Ｓ２のノイズの除去効果を上げるように、リミット回路７、８のリミットレベルＳ２０（−Ｓ２０）、Ｓ２１（−Ｓ２１）の値を大きく設定すると、ノイズ成分を充分除去できるが、入力信号Ｓ１、Ｓ２の変化成分も大きく抑制することになり、この結果、本来の入力信号Ｓ１、Ｓ２の信号波形のエッジを鈍らせてしまう。また、リミットレベルＳ２０（−Ｓ２０）、Ｓ２１（−Ｓ２１）の値を小さく設定し、信号波形のエッジを鈍らせないようにすると、入力信号Ｓ１、Ｓ２のノイズ成分を充分に抑制できないこととなる。
【０００９】
更に、従来の２系統のノイズリダクション回路では、色に対し差別無くノイズが除去されるので色信号の全体に対しノイズリダクションがかかり、人が注目する色もその他の色も同様にノイズリダクションがかかってしまうというという傾向があるのみならず、人が注目するところのノイズをとろうとしてノイズリダクションがかかりやすくすると、前述のように色信号の信号波形のエッジを鈍らせてしまうという点でも問題があった。
【００１０】
本発明の目的は、特定の色に対して強く色信号のノイズを除去、抑制することを可能とする適応型クロマノイズリダクション回路を提供することにある。  
本発明の他の目的は、出現頻度の高い色や画像中の占有面積の広い色成分に対して他の色成分より強いノイズリダクションを行うことを可能とする適応型クロマノイズリダクション回路を提供することにある。  
本発明の他の目的は、複数の色に対し、異なる強さのノイズリダクションを行うことを可能とする適応型クロマノイズリダクション回路を提供することにある。
【課題を解決するための手段】
【００１１】
本発明は、デジタルカメラの画像信号等の処理における色信号のノイズ除去において、特定の色に対してのみ強くノイズリダクションをかけることで、色信号に応じてノイズリダクションの強さを制御することが可能な適応型ノイズリダクション回路に関する。
【００１２】
本発明の適応型ノイズリダクション回路は、色信号から当該色信号に応じてノイズを除去する適応型ノイズリダクション回路において、色信号に基づいて色位相を算出し、色信号に対し特定の色のところだけに強いノイズリダクションをかけることを特徴とする。また、一方の色信号と他方の色信号との割合が所定の範囲にあるときに、前記色信号に対し強いノイズリダクションをかけることを特徴とする。
【００１３】
本発明の適応型ノイズリダクション回路は、色信号から当該色信号に応じてノイズを除去する適応型ノイズリダクション回路において、一方の色信号と他方の色信号との比を求める除算器（例えば図１の３０）と、前記除算器の出力と所定のしきい値とを比較する比較手段（例えば図１の２１〜２４）と、前記比較手段の出力により、前記色信号に対するノイズリダクションの強さを制御可能なノイズリダクション回路（例えば図１の５〜１２）と、からなることを特徴とする。
【００１４】
また、色信号から当該色信号に応じてノイズを除去する適応型ノイズリダクション回路において、一方の色信号と他方の色信号との比を求める除算器（例えば図１の３０）と、前記除算器３０の出力の各画素の比（Ｃｒ／Ｃｂ）を算出し、１画面の各画素の比（Ｃｒ／Ｃｂ値）毎の出現頻度を求めるヒストグラム演算回路（例えば図３の２５）と、前記ヒストグラム演算回路の出力から所定出現頻度の前記比（Ｃｒ／Ｃｂ値）を求める所定比演算回路と、前記除算器の出力と前記所定比演算回路の出力に基づくしきい値とを比較する比較手段（例えば図１の２１〜２４）と、前記比較手段の出力により、前記色信号に対するノイズリダクションの強さを制御可能なノイズリダクション回路（例えば図１の５〜１２）と、からなることを特徴とし、前記所定比演算回路は、最大頻度の比を求めることを特徴とする。
【００１５】
前記比較手段のしきい値には、比較の基準として下限と上限のしきい値が設定されることを特徴とし、設定されるしきい値によりウインドウ型の比較特性を有することを特徴とする。
【００１６】
更に、前記ノイズリダクション回路は、色信号からノイズ成分を抽出するノイズ抽出フィルタ（例えば図１の５、６）と、抽出したノイズ成分のレベルを制御するレベル制御手段（例えば図１の７、９、８、１０）と、前記色信号から前記レベル制御手段の出力を減算する減算器（例えば図１の１１〜１２）と、前記比較手段の出力により前記レベル制御手段を制御するノイズリダクション制御手段（例えば図１の１５、１６、１７〜２０）と、を有することを特徴とする。
【００１７】
また、前記レベル制御手段は、ノイズ抽出フィルタの出力の振幅を制限するリミット回路と、リミット回路の出力に所定の係数を掛算する乗算器とからなり、前記ノイズリダクション制御手段は前記乗算器の乗算係数を制御することを特徴とし、前記比較手段は、異なるしきい値が設定された複数の比較回路でなり、前記複数の比較回路の出力の演算結果により前記ノイズリダクション制御手段を制御することを特徴とする。
【００１８】
（作用）
カメラなどで撮影した画像においては、同一色の広い面積の部分があると、当該箇所の色成分のノイズが目立って見えるという視覚特性がある。このような目立ったノイズを消すためにノイズ除去の信号処理を強くかけるとノイズと共に波形のエッジ成分も傷つけてしまうことから、本発明は、特定の色信号の他の色信号に対する割合（Ｃｒ／Ｃｂ）を計算して、その値をしきい値と比較して、その結果によりノイズリダクションの強さを決める係数を切り替え、前記割合が所定の範囲内にある場合にのみ当該特定の色信号にのみ強いノイズリダクションをかけ、信号波形のエッジを傷つけることなく目立つノイズを除去する。
【発明の効果】
【００１９】
本発明によれば、色を特定してノイズ除去を行うように構成しているので、視覚的に目立つ部分に対してノイズ除去を強くかけることが可能であり、画像全体に対してノイズ除去をかけることによる色解像度の劣化をきたすことがない効率的なノイズリダクションが実現できる。
【００２０】
特に、色信号のノイズリダクションにおいて、一方の色信号と他方の色信号との割合等により色位相を計算し特定の色のところだけ特に強いノイズリダクションをかけられるようにすることで、肌色、空の青色、グレー部分等、ノイズの目立つ部分を狙ってより強くノイズリダクションをかけることができるようになり、画像のノイズが目立たなくすることを可能とする。したがって、全体的にはノイズリダクションの強度を弱くできるのでノイズリダクションの副作用であるエッジの鈍りを減らすことができる。
【００２１】
更に、各画素の一方の色信号と他方の色信号との比（Ｃｒ／Ｃｂ値）の１画面の出現頻度のうち所定出現頻度の色の部分に強くノイズリダクションをかけることにより、代表的には画面上の最も広い面積を占有する色等の信号等に強いノイズリダクションをかけることが可能である。
【発明を実施するための最良の形態】
【００２２】
（構成の説明）
図１は本発明の適応型クロマノイズリダクション回路の一実施の形態の構成を示す図である。
【００２３】
本実施の形態の適応型クロマノイズリダクション回路は、色信号が入力する入力端子１、２、所定のしきい値の信号が入力する入力端子３、４、所定の係数値の信号が入力する入力端子１７、１８、１９、２０、出力端子１３、１４、ノイズ抽出フィルタ５、６、リミット回路７、８、乗算器９、１０、減算器１１、１２、除算器３０、比較器２１、２２、インバータ２３、ＡＮＤ回路２４、セレクター１５、１６から構成される。
【００２４】
入力端子１はノイズ抽出フィルタ５の入力と減算器１１の非減数入力と除算器３０の除数入力に接続され、入力端子２はノイズ抽出フィルタ６の入力と減算器１２の非減数入力と除算器３０の非除数入力に接続され、ノイズ抽出フィルタ５の出力はリミット回路７の入力に接続され、リミット回路７の出力は乗算器９の一方の入力に接続され、乗算器９の出力は減算器１１の減数入力に接続され、減算器１１の出力は出力端子１３に接続され、ノイズ抽出フィルタ６の出力はリミット回路８の入力に接続され、リミット回路８の出力は乗算器１０の一方の入力に接続され、乗算器１０の出力は減算器１２の減数入力に接続され、減算器１２の出力は出力端子１４に接続され、除算器３０の出力は比較器２１、２２のそれぞれ一方の入力（反転入力端子）に接続され、入力端子３、４は比較器２１、２２のそれぞれ他方の入力（非反転入力端子）に接続され、比較器２１の出力はＡＮＤ回路２４の一方の入力に接続され、比較器２２の出力はインバータ２３の入力に接続され、インバータ２３の出力はＡＮＤ回路２４の他方の入力に接続され、ＡＮＤ回路２４の出力はセレクター１５、１６の制御用の入力に接続され、入力端子１７、１９はそれぞれセレクター１５、１６の一方の入力に接続され、入力端子１８、２０はそれぞれセレクター１５、１６の他方の入力に接続され、セレクター１５、１６の出力はそれぞれ乗算器９、１０の他方の入力に接続されている。
【００２５】
以下、本実施の形態の動作についてタイミング図を用いて説明する。  
図２は、図１に示す適応型クロマノイズリダクション回路の動作を示すタイミング図である。
【００２６】
入力端子１から信号Ｓ１（色信号Ｃｂ）が入力し、入力端子２から信号Ｓ２（色信号Ｃｒ）が入力する。信号Ｓ１及びＳ２は除算器３０において除算され信号Ｓ３（＝Ｃｒ／Ｃｂ）として出力される。信号Ｓ３は比較器２１、２２において、入力端子３、４から入力する所定のしきい値Ｓ４、Ｓ５（Ｓ４＜Ｓ５）とそれぞれ比較され、比較結果は信号Ｓ６、Ｓ７として出力される。比較器２２の出力信号Ｓ７はインバータ回路２３に入力され、インバータ回路２３の出力と比較器２１の出力はＡＮＤ回路２４に入力して論理積がとられ信号Ｓ８となる。
【００２７】
ここで、比較器２１、２２は演算増幅器等の差動型の比較器でなり、信号Ｓ３をそれぞれ反転入力端子に入力し、しきい値Ｓ４、Ｓ５をそれぞれ非反転入力端子に入力しているから、信号Ｓ３がＳ４より小さいときは比較器２１、２２の各出力Ｓ６、Ｓ７は共にＨｉｇｈレベル（正電圧）、信号Ｓ３がＳ４とＳ５の間のときは比較器２１、２２の各出力Ｓ６、Ｓ７は、それぞれＨｉｇｈレベル（正電圧）とＬｏｗレベル（負電圧）、信号Ｓ３がＳ５より大きいときは比較器２１、２２の各出力Ｓ６、Ｓ７は共にＬｏｗレベル（負電圧）を出力する。インバータ回路２３は信号Ｓ７の出力レベルを反転させるので、ＡＮＤ回路２４の出力信号Ｓ８は、信号Ｓ３がしきい値Ｓ４とＳ５の間の値をとる場合にのみＨｉｇｈレベルとなる。つまり、比較器２１、２２、インバータ回路２３及びＡＮＤ回路２４から構成される論理回路の特性は、下限のしきい値がＳ４、上限のしきい値がＳ５のウインドウ型のコンパレータを構成する。
【００２８】
次に、入力端子１、２から入力した信号Ｓ１（色信号Ｃｂ）、Ｓ２（色信号Ｃｒ）はそれぞれノイズ抽出フィルタ５、６に入力し、ノイズ抽出フィルタ５、６からはそれぞれ各信号に含まれるノイズ成分と信号波形の変化成分とからなるノイズ信号Ｓ９、Ｓ１０が出力される。ノイズ信号Ｓ９、Ｓ１０はそれぞれリミット回路７、８に入力し、振幅が制限され、リミットレベル以内の部分が通過し、信号Ｓ１１、Ｓ１２として出力する。
【００２９】
信号Ｓ１１は乗算器９でセレクター１５から入力するノイズリダクションの強さを指定する係数と乗算され、当該乗数に応じたレベルの信号Ｓ１３として出力される。また信号Ｓ１２は乗算器１０でセレクター１６から入力するノイズリダクションの強さを指定する係数と乗算され、当該乗数に応じたレベルの信号Ｓ１４として出力される。
【００３０】
ここで、セレクター１５、１６は信号Ｓ８の論理状態に応じて切り替えられ、セレクター１５は入力端子１７、１８から入力するノイズリダクションの強さを指定する異なる値の係数の何れかを出力し、セレクター１６は入力端子１９、２０から入力するノイズリダクションの強さを指定する異なる値の係数の何れかを出力する。セレクター１５、１６が出力する係数は信号Ｓ８がＨｉｇｈの時にＬｏｗの時より大きくなる様に、すなわちノイズリダクションが強くかかるように、大きな方の係数値を選択して出力する。
【００３１】
乗算器９、１０の出力信号Ｓ１３、Ｓ１４は減算器１１、１２に入力され、減算器１１、１２では入力端子１、２に入力した信号Ｓ１、Ｓ２からそれぞれ信号Ｓ１３、Ｓ１４を減算し、出力端子１３、１４からそれぞれノイズが除去された信号Ｓ１５、Ｓ１６として出力される。
【００３２】
以上の動作により、信号Ｓ１（色信号Ｃｒ）と信号Ｓ２（色信号Ｃｂ）との比（Ｃｒ／Ｃｂ値）がしきい値Ｓ４からＳ５までの間の値をとるとき信号Ｓ８がＨｉｇｈとなり、セレクター１５、１６はそれぞれ大きな乗算係数を乗算器９、１０に出力し、入力信号Ｓ１、Ｓ２に対する充分なノイズ除去が行われる。２つのしきい値を制御することにより、所望の色に応じたノイズリダクションの制御が可能である。
【００３３】
（他の実施の形態）
本発明の他の実施の形態として基本的構成は前述の実施の形態と同様であるが、Ｃｒ／Ｃｂの信号と比較する２つのしきい値を単純に入力端子から入力するのではなく、入力する画像信号の最も出現頻度の高い色、例えば画面上もっとも広い面積を占有する色を求め、その色に似た信号も含め全体に対して強いノイズリダクションをかけるように構成したものである。
【００３４】
図３は、本発明の適応型クロマノイズリダクション回路の他の実施の形態の構成を示す図である。  
本実施の形態では、信号が入力する入力端子１、２、それぞれ所定の係数値の信号が入力する入力端子１７、１８、１９、２０、２９、出力端子１３、１４、ノイズ抽出フィルタ５、６、リミット回路７、８、乗算回路９、１０、減算器１１、１２、２８、加算器２７、除算器３０、比較器２１、２２、インバータ２３、ＡＮＤ回路２４、セレクター１５、１６、ヒストグラム演算回路２５、最大値演算回路２６から構成される。
【００３５】
入力端子１はノイズ抽出フィルタ５の入力と減算器１１の非減数入力と除算器３０の除数入力に接続され、入力端子２はノイズ抽出フィルタ６の入力と減算器１２の非減数入力と除算器３０の非除数入力に接続され、ノイズ抽出フィルタ５の出力はリミット回路７の入力に接続され、リミット回路７の出力は乗算器９の一方の入力に接続され、乗算器９の出力は減算器１１の減数入力に接続され、減算器１１の出力は出力端子１３に接続され、ノイズ抽出フィルタ６の出力はリミット回路８の入力に接続され、リミット回路８の出力は乗算器１０の一方の入力に接続され、乗算器１０の出力は減算器１２の減数入力に接続され、減算器１２の出力は出力端子１４に接続され、除算器３０の出力は比較器２１と２２の一方の入力（反転入力端子）とヒストグラム演算回路２５の入力に接続され、ヒストグラム演算回路（Ｈｉｓｔ）２５の出力は最大値演算回路（ＭＡＸ）２６の入力に接続され、最大値演算回路２６の出力は加算器２７の一方の入力と減算器２８の非減数入力に接続され、入力端子２９は加算器２７の他方の入力と減算器２８の減数入力に接続され、加算器２７の出力は比較器２１の他方の入力（非反転入力端子）に、減算器２８の出力は比較器２２の他方の入力（非反転入力端子）に接続され、比較器２１の出力はＡＮＤ回路２４の一方の入力に接続され、比較器２２の出力はインバータ２３の入力に接続され、インバータ２３の出力はＡＮＤ回路２４の他方の入力に接続され、ＡＮＤ回路２４の出力はセレクター１５、１６の制御用の入力に接続され、入力端子１７、１９はそれぞれセレクター１５、１６の一方の入力に接続され、入力端子１８、２０はそれぞれセレクター１５、１６の他方の入力に接続され、セレクター１５、１６の出力はそれぞれ乗算器９、１０の他方の入力に接続されている。
【００３６】
本実施の形態では、ヒストグラム演算回路２５、最大値演算回路２６、加算器２７及び減算器２８により、入力する画像信号の最も出現頻度の高い色を特定するためのしきい値を生成する。つまり、前記構成により信号Ｓ３（Ｃｒ／Ｃｂ値）と比較される係数を以下のようにして求める。
【００３７】
ヒストグラム演算回路２５は除算器３０の出力の各画素のＣｒ／Ｃｂ値を算出し、１画面のＣｒ／Ｃｂ値毎の出現頻度を求める。例えば１画面中にＣｒ／Ｃｂ＝１．５の画素が１００画素存在する場合、ヒストグラム演算回路２５は１．５のレジスタを１００カウントする等により、Ｃｒ／Ｃｂ値毎のカウント値を出力し、最大値演算回路２６はヒストグラム演算回路２５の出力から最大出現頻度のＣｒ／Ｃｂ値を求める。
【００３８】
次に最大値演算回路２６の出力である最大出現頻度のＣｒ／Ｃｂ値に対し、加算器２７で入力端子２９から入力する係数を加算し、また、減算器２８で入力端子２９から入力する係数を減算することにより、ノイズリダクションを強くかける範囲を特定するための比較器に与えるしきい値であるＣｒ／Ｃｂの上限と下限を出力する。入力端子２９に入力する係数は上限と下限の幅を決定するものである。
【００３９】
すなわち、ヒストグラム演算回路２５、最大値演算回路２６、加算器２７及び減算器２８は、
（最大出現頻度のＣｒ／Ｃｂ値）±（入力端子２９に入力する係数）
を計算して比較器２１、２２に入力する。
【００４０】
本実施の形態のノイズリダクションの動作は、図１、２に示す実施の形態の動作と同様であるが、入力画像で最も出現頻度の高い色、特に最も占有面積の広い色成分等に対して他より大きな係数をかけることにより、該色成分に強いノイズリダクション効果を生じるように動作させるものである。このためヒストグラム演算回路２５で算出したＣｒ／Ｃｂ値から最大値演算回路２６で最大出現頻度のＣｒ／Ｃｂ値を演算出力するように構成しているが、このＣｒ／Ｃｂ値の選択は、最大出現頻度のものに限られるものではなく、任意の最大出現頻度のＣｒ／Ｃｂ値を選択可能である。従って、一般的には最大値演算回路２６は所定の比（Ｃｒ／Ｃｂ値）を演算し出力する所定比演算回路として構成することができることは明らかである。
【００４１】
更に図１、３の実施の形態では、Ｃｒ／Ｃｂ値が設定された上限及び下限の間の値をとる場合に、当該値により色を特定して色信号に強いノイズリダクションをかける例を示したが、本発明は複数の色を特定してそれぞれに応じた強度のノイズリダクションを行うように構成することができる。
【００４２】
図４はかかる実施の形態を示す図である。基本的な構成は図１、３の実施の形態と同様であるが、本実施の形態では、除算器３０の出力に複数のウインドウ型比較特性を有する比較回路３３を設け、それぞれの上限及び下限の２つのしきい値は互いに異なる値を設定することが可能に構成する。各比較回路の出力に論理和回路３１を設け、比較回路の各出力の論理和により、何れかの比較回路のＨｉｇｈレベル出力により乗算器９、１０に供給する係数を大きくするように切り替える。比較回路の係数を設定することにより、例えば、肌色、空の青色、グレー等、複数の色に対してのみ強いノイズリダクションを行うことが可能である。
【００４３】
図５は更に他の実施の形態を示す図である。図４に示す実施の形態の論理和の処理に代え、乗算器９、１０に供給する係数を演算する重み付け回路３２を備え、複数の比較回路の１ないし複数の出力にＨｉｇｈレベルが出力されることにより、該出力に応じた異なる係数を演算して乗算器９、１０に供給する係数を制御するように構成することで、ノイズリダクションのきめ細かい制御を可能とする。
【００４４】
更に他の実施の形態として、図３に示す実施の形態においてもヒストグラム演算回路２５と、最大値演算回路２６に代えた所定比演算回路と、加算器２７と、減算器２８とからなる回路を複数設けて、図４又は図５に示すような構成を採用して、異なるＣｒ／Ｃｂ値毎の制御を可能に構成することができることは云うまでもない。
【図面の簡単な説明】
【００４５】
【図１】本発明の適応型クロマノイズリダクション回路の一実施の形態の構成を示す図である。
【図２】図１に示す適応型クロマノイズリダクション回路の動作を示すタイミング図である。
【図３】本発明の適応型クロマノイズリダクション回路の他の実施の形態の構成を示す図である。
【図４】本発明の適応型クロマノイズリダクション回路の更に他の実施の形態を示す図である。
【図５】本発明の適応型クロマノイズリダクション回路の更に他の実施の形態を示す図である。
【図６】従来のクロマノイズリダクション回路の一構成例を示すブロック図である。
【図７】従来のクロマノイズリダクション回路の動作を示すタイミング図である。
【符号の説明】
【００４６】
５、４  ノイズ抽出フィルタ
７、８  リミット回路
９、１０  乗算器
１１、１２、２８  減算器
１５、１６  セレクター
２１、２２  比較器（差動比較器）
２３  インバータ
２４  ＡＮＤ回路
２５  ヒストグラム演算回路
２６  最大値演算回路
２８  減算器
３０  除算器
３１  論理和回路
３２  重み重け回路
３３  比較回路
【図１】
2005268961.tif 000003
【図２】
2005268961.tif 000004
【図３】
2005268961.tif 000005
【図４】
2005268961.tif 000006
【図５】
2005268961.tif 000007
【図６】
2005268961.tif 000008
【図７】
2005268961.tif 000009